(57)【特許請求の範囲】
【請求項１】
使用中のユーザの位置を所定の範囲内で検出する位置検出手段と、
前記ユーザの位置が検出されなかった時間が第１の上限時間を超えているか否かを判断する判断手段と、
被写体像を表示するモニタと、
前記モニタの向きを調整する調整手段と、
モニタ電源のオン・オフ状態を切換えるモニタ電源切換手段とを備え、
前記位置検出手段により検出された前記ユーザの位置が変化すると、前記調整手段が、前記ユーザに向かうように前記モニタの向きを調整し、前記ユーザの位置が検出されなかった時間が前記第１の上限時間を超えていると判断されると、前記モニタ電源切換手段が、モニタ電源をオン状態からオフ状態に切換えることを特徴とする撮影装置。
【請求項２】
前記位置検出手段が、前記ユーザの前記撮影装置に対する相対的な位置を検出することを特徴とする請求項１に記載の撮影装置。
【請求項３】
前記位置検出手段が、前記ユーザの基準位置と前記基準位置からの移動量とに基づいて、前記ユーザの位置を検出することを特徴とする請求項１に記載の撮影装置。
【請求項４】
前記位置検出手段が、前記ユーザの画像を所定時間ごとに生成する画像生成手段と、前記所定時間が経過する前後の前記画像に基づいて、前記ユーザの移動量を算出する移動量算出手段とを含むことを特徴とする請求項１に記載の撮影装置。
【請求項５】
前記調整手段が前記ユーザの位置に基づいて前記モニタの向きを調整するモニタ調整モードを設定するモード設定手段をさらに有し、前記モニタ調整モードが設定されると、前記画像生成手段が、前記ユーザの基準位置を示す画像を生成することを特徴とする請求項４に記載の撮影装置。
【請求項６】
前記位置検出手段が前記ユーザの位置を検出できなかったことを示す警告手段をさらに有することを特徴とする請求項１に記載の撮影装置。
【請求項７】
前記位置検出手段が、前記モニタにおける前記被写体像の表示領域と同一平面に設けられていることを特徴とする請求項１に記載の撮影装置。
【請求項８】
前記撮影装置の電源のオン・オフ状態を切換えるカメラ電源切換手段をさらに有し、前記ユーザの位置が検出されなかった時間が、前記第１の上限時間よりも長い第２の上限時間を超えていると前記判断手段によって判断されると、前記カメラ電源切換手段が、前記撮影装置の電源をオン状態からオフ状態に切換えることを特徴とする請求項１に記載の撮影装置。
【請求項９】
前記調整手段が、前記モニタを軸心周りに回転させることを特徴とする請求項１に記載の撮影装置。
【請求項１０】
前記モニタを収納するための凹部が設けられており、前記ユーザの位置が検出されなかった時間が、前記第１の上限時間よりも長い第２の上限時間を超えていると前記判断手段によって判断されると、前記モニタが前記凹部に収納されることを特徴とする請求項１に記載の撮影装置。
【請求項１１】
前記モニタが、前記被写体像の表示領域が前記凹部によって覆われるように収納されることを特徴とする請求項１０に記載の撮影装置。
【請求項１２】
前記撮影装置が、デジタルカメラであることを特徴とする請求項１に記載の撮影装置。
【発明の詳細な説明】
【技術分野】
【０００１】
本発明は撮影装置に関し、特に、モニタ画面により被写体像が表示可能な撮影装置に関する。
【背景技術】
【０００２】
デジタルカメラを始めとする撮影装置、ディスプレイ装置等においては、被写体像を表示するためのモニタ画面が設けられている。そして例えば、視聴者の動きに応じて揺動自在なディスプレイ本体を設け、視聴者を常に画面の中心に映し出すディスプレイ装置が知られている（特許文献１参照）。また、撮影時に可動してビューファインダとして用いられ、撮影しないときには収納される表示部を備えたカメラも知られている（特許文献２参照）。
【特許文献１】特開平６−２４５２０９号公報（段落［００１５］〜［００２２］、図１、２等参照）
【特許文献２】特開２００５−６２５６３号公報（図１等参照）
【発明の開示】
【発明が解決しようとする課題】
【０００３】
モニタ画面の表示画像が容易に視認されるためには、ユーザがモニタ画面の正面付近に位置することが必要であり、ユーザの位置によっては、視認性が低下してしまう。特に、モニタ画面として広く用いられる液晶モニタにおいては、所定の視野角の範囲内でのみ画像を視認できる。
【０００４】
また、モニタ画面の向きをユーザが調整可能とした場合においても、例えばデジタルカメラにおいて、被写体撮影時のレリーズ動作とズーム動作とを両手で同時に行うときには、モニタ画面の向きを調整することは困難である。
【０００５】
このような視認性および操作性の問題は、ユーザの動きに追従するように制御可能なモニタ画面を用いた場合、解消する。しかしながら、ユーザの動きに応じて随時モニタ画面を移動させることが必要となるため、消費電力の増加を招く。また、ユーザが電源をオフ状態にせずにモニタ画面から離された場合等においては、モニタ画面は自動的に移動し続け、予期せぬ移動による破損のおそれがある。
【０００６】
本発明は、モニタ画面の向きを調整して視認性および操作性を向上させるとともに、省電力化とモニタ画面の保護が可能な撮影装置を提供することを目的とする。
【課題を解決するための手段】
【０００７】
本発明の撮影装置は、使用中のユーザの位置を所定の範囲内で検出する位置検出手段と、ユーザの位置が検出されなかった時間が第１の上限時間を超えているか否かを判断する判断手段と、被写体像を表示するモニタと、モニタの向きを調整する調整手段と、モニタ電源のオン・オフ状態を切換えるモニタ電源切換手段とを備え、位置検出手段により検出されたユーザの位置が変化すると、調整手段が、ユーザに向かうようにモニタの向きを調整し、ユーザの位置が検出されなかった時間が第１の上限時間を超えていると判断されると、モニタ電源切換手段が、モニタ電源をオン状態からオフ状態に切換えることを特徴とする。
【０００８】
位置検出手段は、ユーザの撮影装置に対する相対的な位置を検出することが好ましい。また、位置検出手段は、ユーザの基準位置と基準位置からの移動量とに基づいて、ユーザの位置を検出することが好ましい。
【０００９】
位置検出手段は、ユーザの画像を所定時間ごとに生成する画像生成手段と、所定時間が経過する前後の画像に基づいて、ユーザの移動量を算出する移動量算出手段とを含むことが好ましい。この場合、調整手段がユーザの位置に基づいてモニタの向きを調整するモニタ調整モードを設定するモード設定手段をさらに有し、モニタ調整モードが設定されると、画像生成手段が、ユーザの基準位置を示す画像を生成することがより好ましい。
【００１０】
撮影装置は、位置検出手段がユーザの位置を検出できなかったことを示す警告手段をさらに有することが望ましい。位置検出手段は、モニタにおける被写体像の表示領域と同一平面に設けられていることが望ましい。
【００１１】
撮影装置は、撮影装置の電源のオン・オフ状態を切換えるカメラ電源切換手段をさらに有し、ユーザの位置が検出されなかった時間が、第１の上限時間よりも長い第２の上限時間を超えていると判断手段によって判断されると、カメラ電源切換手段が、撮影装置の電源をオン状態からオフ状態に切換えることが好ましい。また、調整手段は、例えばモニタを軸心周りに回転させる。
【００１２】
撮影装置には、モニタを収納するための凹部が設けられており、ユーザの位置が検出されなかった時間が、第１の上限時間よりも長い第２の上限時間を超えていると判断手段によって判断されると、モニタが凹部に収納されることが好ましい。この場合、モニタは、被写体像の表示領域が凹部によって覆われるように収納されることがより好ましい。
【００１３】
撮影装置は、例えばデジタルカメラである。
【発明の効果】
【００１４】
本発明によれば、モニタ画面の向きを調整して視認性および操作性を向上させるとともに、省電力化とモニタ画面の保護が可能な撮影装置が実現できる。
【発明を実施するための最良の形態】
【００１５】
以下、本発明の実施形態を、図面を参照して説明する。図１は、本実施形態におけるデジタルカメラとその内部を部分的に示す斜視図である。
【００１６】
デジタルカメラ１０は、被写体像を生成するデジタルカメラ本体１２と、生成された被写体像を表示するためのＬＣＤモニタ２２（モニタ）を含む。ＬＣＤモニタ２２は、一対の第１ヒンジ２８を介してデジタルカメラ本体１２に取付けられている。第１ヒンジ２８の近傍には、第１モータ１３（調整手段）が設けられ、ＬＣＤモニタ２２内にある第２ヒンジ２９の近傍には、第２モータ１５（調整手段）が設けられている。
【００１７】
第１および第２モータ１３、１５は、第１ヒンジ２８に平行な第１回転軸Ｌ1および第２ヒンジ２９に平行な第２回転軸Ｌ2を中心に、ＬＣＤモニタ２２をそれぞれ回転させる。このため、ＬＣＤモニタ２２の向きは、矢印Ａおよび矢印Ｂの示すように第１および第２モータ１３、１５によって調整される。なお、ＬＣＤモニタ２２は、構造上の制約により、矢印Ａおよび矢印Ｂの示すいずれの回転方向についても３６０°回転することはできない。また、ＬＣＤモニタ２２は、第１および第２モータ１３、１５が作動していないときに、撮影者（ユーザ）の操作によっても回転可能である。
【００１８】
ＬＣＤモニタ２２の前面２２Ｆには、被写体像を表示する表示部２４と、撮影者の位置を検出するための撮影者検出用カメラ２６（位置検出手段）が設けられている。ＬＣＤモニタ２２は、デジタルカメラ１０の使用時においては、図示するように表示部２４がデジタルカメラ本体１２の背面１２Ｒ側にあって、撮影者が表示部２４を視認できる位置（以下、使用位置という）にある。
【００１９】
一方、デジタルカメラ１０の未使用時等においては、ＬＣＤモニタ２２は、デジタルカメラ本体背面１２Ｒに設けられた収納部１６（凹部）に収納されている。このとき、表示部２４、および撮影者検出用カメラ２６は、収納部１６の底面１６Ｂによって覆われており、外部から加わる衝撃等から保護される。
【００２０】
デジタルカメラ本体１２の上面１２Ｕには、レリーズボタン、モードダイヤルおよび電源スイッチ等（いずれも図示せず）が設けられ、デジタルカメラ本体背面１２Ｒの収納部１６の周囲には、所定の操作を実行するためのメニューボタン等（図示せず）がそれぞれ設けられている。
【００２１】
図２は、デジタルカメラ１０のブロック図である。
【００２２】
デジタルカメラ１０には、全体を制御する制御回路であるマイコン１９、画像データ等を記録するためのフラッシュメモリ４２、マイコン１９の信号処理のためのデータが記憶されているＥＥＰＲＯＭ４４、時間制御のためのクロックＩＣ４８等が設けられている。また、マイコン１９には、モードダイヤル１４（モード設定手段）、電源スイッチ２５等が接続されている。電源スイッチ２５が撮影者の操作によりオン状態になると、デジタルカメラ１０の電源はオン状態になり、マイコン１９が作動を開始する。
【００２３】
モードダイヤル１４等が操作されると、操作に応じた所定の信号がマイコン１９に送信される。これらのボタンの操作によって、撮影者は、撮影のために用いられる様々なモードを選択することができる。例えば、モニタ調整モードは、モードダイヤル１４が所定の回転位置に定められたことにより生じる信号がマイコン１９に送信されると設定される。モニタ調整モードにおいては、撮影者がデジタルカメラ１０に対して相対的に移動したときにも表示部２４が撮影者と向かい合うように、ＬＣＤモニタ２２の向きが自動的に調整される。
【００２４】
レリーズボタンが半押しされると、測光スイッチＳＷＳがオン状態になる。被写体の撮影を行う場合において測光スイッチＳＷＳがオン状態となると、測光処理部（図示せず）による被写体の測光が行われる。そして、得られた輝度データは、マイコン１９に送信される。
【００２５】
レリーズボタンが全押しされると、レリーズスイッチＳＷＲがオン状態になる。レリーズスイッチＳＷＲがオン状態になると、マイコン１９は、絞り３１の位置を調整するように絞り駆動回路３４を制御し、絞り駆動回路３４が、絞り３１を所定量だけ開く。また、このときシャッタ（図示せず）が所定の開度まで所定時間だけ開放される。
【００２６】
この結果、ＣＣＤ駆動回路３６によって制御されるＣＣＤ３８が、撮影レンズ３０を通過した光により露光され、ＣＣＤ３８には被写体像を示す画像信号が発生する。ＣＣＤ３８において発生した画像信号は、ＣＤＳ回路３９においてノイズが低減され、Ａ／Ｄ変換器４０によりアナログからデジタルに変換される。デジタル化された画像信号は、ホワイトバランス調整などの様々な信号処理が施された後にマイコン１９へ送られる。画像信号は、さらにマイコン１９からＬＣＤモニタ２２に送信され、被写体像がＬＣＤモニタ２２の表示部２４に表示される。
【００２７】
なお、ＣＣＤ３８によって生成された被写体の画像データは、フラッシュメモリ４２、およびインターフェイス４３を介してメモリカード４６にも送信され、記録される。記録された画像データは、モードダイヤル１４等の操作によって再生モードが選択されることにより、ＬＣＤモニタ２２上で再生表示される。
【００２８】
モニタ調整モードが設定されると、撮影者検出用カメラ２６は、このときの撮影者の位置を基準位置として検出するために、撮影者を撮影する。モニタ調整モードが設定されている間、撮影者検出用カメラ２６は、基準位置からの撮影者の移動量を検出するために、基準位置の検出のための撮影後も所定時間ごとに撮影動作を行う。
【００２９】
撮影者検出用カメラ２６は、撮影者検出用のＣＣＤ（図示せず）を内蔵しており、このＣＣＤにより生成された画像データは、マイコン１９を介してＤＲＡＭ４５に送信され、記憶される。マイコン１９においては、ＤＲＡＭ４５に記憶されている画像データと、新たに受信した画像データとを比較し、撮影者の移動量を算出する。この結果、移動後のデジタルカメラ１０に対する相対的な位置が検出される。なお、ＤＲＡＭ４５には、最後に撮影された画像が、順次上書きされて記憶される。
【００３０】
そして、撮影者がデジタルカメラ１０に対して相対的に移動したこと、すなわち撮影者の位置が変化したことが検出されると、マイコン１９は、第１および第２モータ１３、１５を制御して、移動した撮影者の方向を向くように、ＬＣＤモニタ２２の向きを調整する。
【００３１】
ここで、ＬＣＤモニタ２２は、第１回転軸Ｌ1および第２回転軸Ｌ2を中心としたいずれの軸回転においても３６０°回転することはできないため、撮影者がデジタルカメラ１０から離れると、ＬＣＤモニタ２２が撮影者の移動に追従しきれない場合がある。この場合、撮影者の位置が撮影者検出用カメラ２６の撮影範囲から外れてしまう。
【００３２】
このように、モニタ調整モードの設定時に、撮影者の位置が検出されない状態が所定の第１の上限時間を超えて継続すると、マイコン１９は、ＬＣＤモニタ２２用の電源（図示せず）をオフ状態にする。そして、撮影者の位置が検出されない状態が、第１の上限時間よりも長い第２の上限時間を超えて継続すると、マイコン１９は、ＬＣＤモニタ２２を収納部１６に収納させる（図１参照）ように第１および第２モータ１３、１５を制御するとともに、電源スイッチ２５がオン状態であるにも関わらず、デジタルカメラ１０の電源をオフ状態にする。
【００３３】
ここで、撮影者の位置が検出されない時間（以下、未検出時間という）は、デジタルカメラ本体１２に設けられたクロックＩＣ４８がマイコン１９に常時送信するクロックパルスに基づいて、マイコン１９により計測され、各上限時間と比較される。また、ここでの未検出時間とは、連続して撮影者が検出されない時間であり、一度撮影者が検出された後に再び検出されない状態になった場合、未検出時間の計測は、ゼロから再開される。
【００３４】
図３は、撮影者検出用カメラ２６によって生成された撮影者の画像を例示する図である。
【００３５】
撮影者検出用カメラ２６によって生成された画像は、複数の分割領域に分割されて記憶される。そして、撮影者の移動量は、ＤＲＡＭ４５に記憶されている最後に取得された画像と、その画像の取得時から所定時間経過後に新たに取得された画像との色情報の変化に基づいて検出される。
【００３６】
すなわち、モニタ調整モードにおいて画像が生成されると、マイコン１９により、得られた画像データのうち、撮影者検出用カメラ２６の撮影領域の中心にある中心領域５０と、中心領域５０を全て含み、中心領域５０の周囲に広がる周辺領域５６とにおいて、所定の色成分について二値化処理が施される。そして、中心領域５０における、二値化処理が施された所定の色成分の強度分布と、その直後に得られた画像データの周辺領域５６における強度分布との比較により、撮影者の移動量が算出される。
【００３７】
例えば、通常、撮影者の顔面が撮影領域の中心に位置することから、肌色の成分について二値化処理が施されると、中心領域５０に含まれる分割領域のうち、斜線で示される領域５４（高強度領域）での強度が高くなる。そして、図示された画像の画像データの次に得られた画像データの周辺領域５６において、高強度領域５４が紙面右側にずれている場合、矢印Ｃの示すように、撮影者が自分にとっての左方向に所定量だけ移動したものと判断される。
【００３８】
ここで、所定の閾値範囲を越えて撮影者が移動したか否かがマイコン１９により判断され、閾値範囲を越えて移動したと判断されると、第１、第２モータ１３、１５は、ＬＣＤモニタ２２を移動後の撮影者に対向させるように回転させる。従って、モニタ調整モードの設定時に撮影領域の中心にある中心領域５０は、移動する撮影者を追尾するように移動するものの、その直後のＬＣＤモニタの移動により、再び撮影領域の中心に戻る。
【００３９】
一方、撮影者の移動が所定の閾値範囲内のものであると判断されると、ＬＣＤモニタ２２は移動されない。この場合、中心領域５０は、わずかに移動した撮影者に追尾するように、移動後の撮影者を中心に含む位置に移動する。そして、撮影領域の中心からわずかに移動した中心領域５０の周囲に周辺領域５６が設定され、その後の撮影者の移動量が検出される。
【００４０】
上述の二値化処理は、中心領域５０と周辺領域５６のいずれについても、必要とされる撮影者の移動量検出の精度に応じて、実際には図示された領域よりも細かく分割された分割領域ごとに実施される。
【００４１】
なお、撮影者検出用カメラ２６により生成された画像は、撮影者の移動量を算出するためにのみ必要であり、撮影者にとっては不要なものであるため、表示部２４には表示されない。
【００４２】
図４は、ＬＣＤモニタ２２の表示方向を調整するモニタ調整ルーチンを示すフローチャートである。
【００４３】
モニタ調整ルーチンは、ＬＣＤモニタ２２が使用位置に移動され、モニタ調整モードが設定されると開始する。ステップＳ１１では、撮影者の基準位置を示す画像が撮影者検出用カメラ２６により生成され、ステップＳ１２に進む。ステップＳ１２では、例えば１／３０秒など所定時間の経過後に、撮影者の新たな画像が撮影者検出用カメラ２６により生成され、ステップＳ１３に進む。
【００４４】
ステップＳ１３においては、ＬＣＤモニタ２２の表示方向を調整する必要があるか否かが判断される。ＬＣＤモニタ２２の表示方向の調整が必要であると判断されるとステップＳ１４に進む。表示方向の調整の必要性は、画像データの二値化処理により検出されたデジタルカメラ１０に対する撮影者の相対的な移動量が、所定の閾値範囲内にあるかに基づいて判断される。そして、撮影者の移動量が、撮影者の手ぶれ等に起因すると考えられるほどわずかなものである場合、ＬＣＤモニタ２２の向きの調整は不要であると判断される。
【００４５】
ステップＳ１４においては、ＬＣＤモニタ２２を撮影者に対向させるために必要とされる、第１および第２モータ１３、１５によるＬＣＤモニタ２２の駆動量がそれぞれマイコン１９によって算出され、ステップＳ１５に進む。ステップＳ１５では、算出された駆動量が、駆動可能なものであるか否か、すなわち、算出された駆動量による回転が、ＬＣＤモニタ２２の回転可能な限界を超えてしまうか否かが判断される。その結果、算出された駆動量だけＬＣＤモニタ２２を回転させることができると判断されると、ステップＳ１６に進み、回転させることができないと判断されると、ステップＳ１７に進む。
【００４６】
ステップＳ１６では、ＬＣＤモニタ２２が算出された駆動量だけ駆動され、ステップＳ１２に戻る。一方、ステップ１７では、ステップＳ１４で算出された駆動量よりも小さい駆動量で、機械的に可能な範囲内でＬＣＤモニタ２２が回転され、ステップＳ１８に進む。
【００４７】
ステップＳ１８では、ＬＣＤモニタ２２が本来の駆動量だけ駆動されていないことから、撮影者検出用カメラ２６により所定時間ごとに生成される画像にて撮影者が検出されるか否かが判断される。この判断は、撮影者の移動量の検出（図３参照）と同様に色情報の変化に基づいて行なわれるものの、二値化処理は、周辺領域５６のみならず撮影領域の全範囲について施される。これは、撮影者が撮影領域の全範囲内にて検出されるか否かを判断するためである。そして、撮影者が検出されたと判断されると、ステップＳ１２に戻り、撮影者が検出されなかったと判断されると、ステップＳ１９に進む。
【００４８】
ステップＳ１９では、マイコン１９の制御によって、表示部２４（警告手段）上に撮影者の位置を検出できなかったことを示す警告メッセージが表示され、ステップＳ２０に進む。ステップＳ２０では、再度、撮影者が検出されるか否かが判断され、撮影者が検出されたと判断されると、ステップＳ２１に進み、撮影者が検出されなかったと判断されるとステップＳ２２に進む。
【００４９】
ステップＳ２１においては、表示部２４上の警告メッセージ表示が解消され、ステップＳ１２に戻る。一方、ステップＳ２２では、未検出時間が第１の上限時間を超えているか否かが判断され、未検出時間が第１の上限時間を超えたと判断されるとステップＳ２３に進み、未検出時間が第１の上限時間を超えていないと判断されるとステップＳ２０に戻る。ステップＳ２３では、デジタルカメラ１０の電源はオン状態のままで、ＬＣＤモニタ２２用の電源のみがオフ状態になり、バックライトによる光の出射が停止され、ステップＳ２４に進む。
【００５０】
ステップＳ２４では、再び、撮影者が検出されるか否かが判断され、撮影者が検出されたと判断されると、ステップＳ２５に進み、撮影者が検出されなかったと判断されるとステップＳ２６に進む。ステップＳ２５では、モニタ電源がオン状態に切換えられ、バックライトからの出射光により表示部２４に被写体像が表示可能となり、ステップＳ２１に進む。
【００５１】
ステップＳ２６では、未検出時間が第１の上限時間よりも長い第２の上限時間を超えているか否かが判断され、未検出時間が第２の上限時間を超えたと判断されるとステップＳ２７に進み、未検出時間が第２の上限時間を超えていないと判断されるとステップＳ２４に戻る。ステップＳ２７では、ＬＣＤモニタ２２が収納部１６に収納され、ステップＳ２８に進む。ステップＳ２８においては、デジタルカメラ１０の電源がオフ状態に自動的に切換えられ、モニタ調整ルーチンは終了する。
【００５２】
以上のように本実施形態によれば、移動する撮影者の位置を所定の範囲内で検出し、表示部２４が撮影者に対向するようにＬＣＤモニタ２２の向きを制御することにより、被写体像の視認性が向上される。そして、ＬＣＤモニタ２２の向きが自動的に調整されることから、デジタルカメラ１０の操作性も良好である。さらに、所定の時間を超えて表示部２４を撮影者に対向させることができない場合、ＬＣＤモニタ２２の電源、さらにはデジタルカメラ１０全体の電源が自動的にオフ状態に切換えられることにより、省電力化が可能である。そしてこのとき、ＬＣＤモニタ２２の表示部２４等は収納部１６に収納され、保護される。
【００５３】
また、本実施形態においては、撮影者の画像データを所定時間ごとに生成し、画像データにおける色情報の変化に基づいて撮影者の移動量を検出することにより、予め記憶させていた撮影者の輪郭等の目安を示す所定の画像データと実際の撮影者の画像データとを比較して撮影者の位置を検出する場合に比べ、実際の撮影者の色、形状等に左右されず、より正確に撮影者の位置を検出することができる。
【００５４】
撮影装置は、本実施形態のデジタルカメラには限らず、例えば、ビデオカメラ、撮影機能付き携帯電話等であっても良い。また、撮影装置に使用されるモニタもＬＣＤモニタ２２に限定されず、例えばプラズマディスプレイパネル等であっても良い。
【００５５】
モニタ調整モードは、モードダイヤル１４以外の、例えばメニューボタン等の操作によって設定されても良い。また、撮影者の基準位置を示す画像は、モニタ調整モードが設定された直後に自動的に生成されるのではなく、モニタ調整モードの設定後におけるレリーズボタンの半押し操作等、撮影者の指示によって生成されても良い。
【図面の簡単な説明】
【００５６】
【図１】本実施形態におけるデジタルカメラとその内部を部分的に示す斜視図である。
【図２】デジタルカメラのブロック図である。
【図３】撮影者検出用カメラによって生成される撮影者の画像を例示する図である。
【図４】ＬＣＤモニタの表示方向を調整するモニタ調整ルーチンを示すフローチャートである。
【符号の説明】
【００５７】
１０  デジタルカメラ（撮影装置）
１３  第１モータ（調整手段）
１４  モードダイヤル（モード設定手段）
１５  第２モータ（調整手段）
１６  収納部（凹部）
１９  マイコン（判断手段・モニタ電源切換手段・カメラ電源切換手段・移動量算出手段）
２２  ＬＣＤモニタ（モニタ・警告手段）
２４  表示部（警告手段）
２６  撮影者検出用カメラ（位置検出手段・画像生成手段）
４８  クロックＩＣ（判断手段）
【図１】
0004478105.tif 000002
【図２】
0004478105.tif 000003
【図３】
0004478105.tif 000004
【図４】
0004478105.tif 000005